(57)【要約】【課題】パネル自体の強度を確保できるとともに、比較的単純な構成で、遮音性能を向上させることができる防音パネルを提供する。【解決手段】互いに間隔を隔てて対向した状態で延びる一対の縦枠材５、５、ならびに一対の縦枠材５、５の一端部間および他端部間にそれぞれ連結された一対の横枠材６、６から成る枠体２と、この枠体２の表裏方向に互いに積層された芯材７および緩衝材８を有し、一対の縦枠材５、５間に連結された芯体３と、枠体２にその表面および裏面をそれぞれ覆うように設けられるとともに、芯体３の表面および裏面にそれぞれ固定された一対の板材４、４と、を備え、芯体３は、芯体３によって分割された板材４の２つの部分４Ａ、４Ｂが芯体３を中心として互いに非対称になるように配置されている。【選択図】  図１
2007017759.tif 000002
【特許請求の範囲】
【請求項１】
互いに間隔を隔てて対向した状態で延びる一対の第１枠材、ならびに当該一対の第１枠材の一端部間および他端部間にそれぞれ連結された一対の第２枠材から成る枠体と、
この枠体の表裏方向に互いに積層された芯材および緩衝材を有し、前記一対の第１枠材間に連結された芯体と、
前記枠体にその表面および裏面をそれぞれ覆うように設けられるとともに、前記芯体の表面および裏面にそれぞれ固定された一対の板材と、を備え、
前記芯体は、当該芯体によって分割された前記板材の２つの部分が当該芯体を中心として互いに非対称になるように配置されていることを特徴とする防音パネル。
【請求項２】
前記芯体は、前記一対の第２枠材と平行に延びており、当該芯体と当該一対の第２枠材との距離をそれぞれＡおよびＢとしたときに、Ａ：Ｂが倍数比以外の比になるように配置されていることを特徴とする請求項１に記載の防音パネル。
【請求項３】
前記芯材は、前記一対の板材にそれぞれ固定された２つの芯材で構成され、
前記緩衝材は、当該２つの芯材の間に配置されていることを特徴とする請求項１または２に記載の防音パネル。
【請求項４】
前記第１枠材および前記第２枠材の少なくとも一方は、前記枠体の表裏方向に互いに積層された枠材本体および緩衝材を有していることを特徴とする請求項１ないし３のいずれかに記載の防音パネル。
【発明の詳細な説明】
【技術分野】
【０００１】
本発明は、例えば防音室の壁や天井などを構成するための防音パネルに関する。
【背景技術】
【０００２】
従来のこの種の防音パネルとして、特許文献１に開示されたものが知られている。この防音パネルは、左右一対の縦枠材、ならびに両縦枠材の上端部間および下端部間にそれぞれ連結された上下一対の横枠材によって、縦長の矩形枠状に形成された枠体と、上下の横枠材の中央部間に連結された芯体と、枠体および芯体を表裏から挟持した状態で、それらに接着された縦長矩形状の一対の板材とを備えている。芯体は、両板材の内面にそれぞれ固定された２つの芯材と、両芯材間に設けられた緩衝材とによって構成されている。この防音パネルでは、上記の芯体をパネル内部に設けることにより、パネル自体の中央部分の強度を確保し、また、芯体の両芯材間に緩衝材を設けることにより、両板材を振動的にほぼ分離し、両板材の間に芯体を介してサウンドブリッジが生じるのを抑制することによって、それに起因する遮音性能の低下を防止している。
【０００３】
また、この防音パネルのような二重壁のパネルでは、２枚の板材とそれらの間の空気層との共振現象により、低音域における音響透過損失が極めて小さくなる、いわゆる低音域共鳴透過が生じ、その結果、低音域における遮音性能が極めて低くなる。これを回避するために、上記の防音パネルでは、両板材のそれぞれの内面に、細長い複数の補強板が取り付けられている。具体的には、各板材の内面に、４枚の補強板が左右対称に取り付けられ、これらの補強板は、互いに間隔を隔てて、かつ枠体および芯体のいずれからも間隔を隔てて配置されている。また、一方の板材に設けられた補強板はいずれも、他方の板材の補強板に対し、非対面状態、すなわち正対しないように左右方向にずれた状態で配置されている。これらの補強板により、上記の防音パネルでは、板材の共振を生じにくくし、それにより、低音域における遮音性能の低下を防止している。
【０００４】
上述したように、この防音パネルでは、パネル自体の強度を確保するとともに遮音性能を向上させるために、芯体がパネル内部に設けられるとともに、計８枚の補強板が両板材の内面に取り付けられている。そのため、この防音パネルでは、部品点数が多く、内部の構成が複雑になり、しかも、多くの補強板を上述した所定のレイアウトで両板材に取り付けなければならないため、製造コストが上昇してしまう。
【０００５】
本発明は、以上のような課題を解決するためになされたものであり、パネル自体の強度を確保できるとともに、比較的単純な構成で、遮音性能を向上させることができる防音パネルを提供することを目的とする。
【０００６】
【特許文献１】特開２０００−２５０５６２号公報
【発明の開示】
【課題を解決するための手段】
【０００７】
上記の目的を達成するために、請求項１に係る発明は、互いに間隔を隔てて対向した状態で延びる一対の第１枠材、ならびに一対の第１枠材の一端部間および他端部間にそれぞれ連結された一対の第２枠材から成る枠体と、この枠体の表裏方向に互いに積層された芯材および緩衝材を有し、一対の第１枠材間に連結された芯体と、枠体にその表面および裏面をそれぞれ覆うように設けられるとともに、芯体の表面および裏面にそれぞれ固定された一対の板材と、を備え、芯体は、芯体によって分割された板材の２つの部分が芯体を中心として互いに非対称になるように配置されていることを特徴とする。
【０００８】
この構成によれば、それぞれ一対の第１および第２枠材から成る枠体に、その表面および裏面を覆うように、一対の板材がそれぞれ設けられている。また、芯体は、両第１枠材間に連結されるとともに、表面および裏面が両板材にそれぞれ固定されている。これらの枠体および芯体により、防音パネルの強度を確保でき、特に、芯体によってパネル自体の内側部分の強度を十分に確保することができる。また、芯体は、枠体の表裏方向に互いに積層された芯材および緩衝材を有しており、その緩衝材によって両板材が振動的にほぼ分離されるので、両板材の間に芯体を介してサウンドブリッジが生じるのを抑制でき、それに起因する遮音性能の低下を防止することができる。さらに、芯体は、これによって分割された板材の２つの部分（以下、本明細書において「分割部」という）が、芯体を中心として互いに非対称になるように配置されている。このように芯体を配置することにより、この防音パネルでは、低音域における共鳴が生じにくくなる。これは次の理由による。すなわち、両分割部が互いに対称である場合には、防音パネルの共鳴周波数が、複数の比較的狭い範囲の周波数帯域に偏在する傾向にある。そのため、防音パネルの一方の板材側で発生した音の周波数が、防音パネルの共鳴周波数に一致しやすくなり、特に、低音域において大きな共鳴が生じやすくなる。これに対し、両分割部が互いに非対称である場合には、防音パネルの共鳴周波数が広範囲の周波数帯域に分散する傾向にあり、それにより、防音パネルの一方の板材側で発生した音の周波数が、防音パネルの共鳴周波数に一致しにくくなる。その結果、防音パネルでは、低音域における共鳴が生じにくくなる。
【０００９】
以上のように、上記構成の防音パネルによれば、芯体を、両分割部が非対称になるように配置することにより、パネル自体の強度を確保できるとともに、遮音性能を向上させることができ、特に、低音域の遮音性能を向上させることができる。しかも、従来と異なり、両板材への補強板などの取り付けが不要となり、その分、防音パネルを低コストで製造することができる。
【００１０】
請求項２に係る発明は、請求項１に記載の防音パネルにおいて、芯体は、一対の第２枠材と平行に延びており、芯体と一対の第２枠材との距離をそれぞれＡおよびＢとしたときに、Ａ：Ｂが倍数比以外の比になるように配置されていることを特徴とする。
【００１１】
芯体と一対の第２枠材とのそれぞれの距離ＡおよびＢの比が、倍数比（１：Ｎ、Ｎは整数）であるときには、上述した両分割部が互いに対称である場合と同様に、防音パネルの共鳴周波数が、複数の比較的狭い範囲の周波数帯域に偏在するのに対し、Ａ：Ｂが倍数比以外の比になるように、芯体を配置することにより、防音パネルの共鳴周波数が、広範囲の周波数帯域に分散する。したがって、上記構成のように、Ａ：Ｂが倍数比以外の比になるように、芯体を配置することにより、防音パネルにおける低音域の遮音性能を確実に向上させることができる。
【００１２】
請求項３に係る発明は、請求項１または２に記載の防音パネルにおいて、芯材は、一対の板材にそれぞれ固定された２つの芯材で構成され、緩衝材は、２つの芯材の間に配置されていることを特徴とする。
【００１３】
この構成によれば、芯材が両板材にそれぞれ固定されるので、緩衝材が板材に固定される場合に比べて、両板材の剛性をいずれも高めることができ、それにより、防音パネルの強度を全体としてより高めることができる。
【００１４】
請求項４に係る発明は、請求項１ないし３に記載の防音パネルにおいて、第１枠材および第２枠材の少なくとも一方は、枠体の表裏方向に互いに積層された枠材本体および緩衝材を有していることを特徴とする。
【００１５】
この構成によれば、第１枠材および第２枠材の少なくとも一方が、枠体の表裏方向に互いに積層された枠材本体および緩衝材を有しているので、上記芯体の緩衝材に加えて、枠体の緩衝材によっても、両板材を振動的にほぼ分離し、両板材間のサウンドブリッジの発生をより一層抑制でき、それにより、防音パネルの遮音性能をより向上させることができる。
【発明を実施するための最良の形態】
【００１６】
以下、図面を参照しながら、本発明の好ましい実施形態を詳細に説明する。図１は、本発明の一実施形態による防音パネルを示している。この防音パネル１は、例えば防音室の壁や天井などを構成するためのものである。同図に示すように、防音パネル１は、正面形状が縦長矩形状の枠体２と、この枠体２の内側に、左右方向に延びるように配置された芯体３と、これらの枠体２および芯体３を表裏から挟持した状態で、これらに貼り付けられた表裏一対の板材４、４とを備えている。
【００１７】
枠体２は、互いに左右方向に間隔を隔てて対向するとともに、互いに上下方向に平行に延びる左右一対の縦枠材５、５（第１枠材）と、互いに左右方向に平行に延びるとともに、両縦枠材５、５の上端部間および下端部間にそれぞれ連結された上下一対の横枠材６、６（第２枠材）とで構成されている。各縦枠材５および各横枠材６は、集成材から成る角材（厚さ４０ｍｍ、幅５０ｍｍ）で構成されている。なお、これらの縦枠材５や横枠材６については、集成材の他、無垢の木などの角材や、アルミあるいは鋼などの金属製の角材などで構成していもよい。
【００１８】
図１および２に示すように、芯体３は、左右方向に延びるとともに、左右の縦枠材５、５間に連結されており、表裏の板材４、４の内面にそれぞれ固定された表裏一対の芯材７、７と、これらの芯材７、７間に設けられた緩衝材８とで構成されている。各芯材７は、上記の縦枠材５や横枠材６と同様の集成材から成る板材（幅５０ｍｍ、厚さ１４ｍｍ）で構成され、一方、緩衝材８は、グラスウール（幅５０ｍｍ、厚さ１２ｍｍ）で構成されている。なお、芯材７については、集成材の他、無垢の木などの板材や、アルミあるいは鋼などの金属製の板材などで構成してもよく、また、緩衝材８については、グラスウールの他、防振ゴムやゴムスポンジなどで構成してもよい。
【００１９】
また、表裏の各板材４は、パーティクルボード（縦×横１８２０×９１０ｍｍ、厚さ９ｍｍ）から成り、枠体２の正面外形とほぼ同じ縦長矩形状に形成されている。そして、両板材４、４は、枠体２および芯体３の表裏面に接着などによってそれぞれ固定されている。なお、各板材４については、パーティクルボードの他、合板、石膏ボードまたはＭＤＦなどで構成してもよい。
【００２０】
以上のように構成された防音パネル１では、芯体３は、これによって分割された板材４の上下２つの分割部４Ａ、４Ｂが、芯体３を中心として互いに非対称になるように配置されている。具体的には、例えば、図２に示すように、枠体３の中心から、上下（同図では左右）の横枠材６、６の上下端（同図では左右端）までの距離をそれぞれＡおよびＢとしたときに、これらの距離ＡおよびＢが次式（１）をほぼ満たすように、枠体３が配置されている。
【数１】
2007017759.tif 000003
【００２１】
この式（１）による距離ＡとＢの分割比は、約１：１．６であり、いわゆる黄金分割比と呼ばれるものである。
【００２２】
以上の構成の防音パネル１によれば、その表面側で発生した音は、まず、表面側の板材４に到達する。その際、音は、その一部が板材４の表面で反射され、それ以外の板材４に入射した音は、板材４内で減衰された後、枠体２および芯体３に到達するとともに、それ以外の音が、両板材４、４間の空気層Ｓを通過し、その際に減衰された後、裏面側の板材４に到達する。枠体２に入射した音は、枠体２内で減衰された後、裏面側の板材４に到達する。一方、芯体３に到達した音は、両芯材７、７を通過する際に減衰されるとともに、緩衝材８を通過する際により大きく減衰され、裏面側の板材４に到達する。そして、裏面側の板材４を通過する際にも、表面側の板材４を通過したときと同様に、その内部で減衰された後、防音パネル１の裏面側に到達する。
【００２３】
また、表裏の板材４、４間に設けられた芯体３は、表裏の芯材７、７間に緩衝材８が介装されているので、両板材４、４を振動的にほぼ分離することができる。したがって、両板材４、４間に芯体３を介してサウンドブリッジが生じるのを抑制でき、それに起因する防音パネル１の遮音性能の低下を防止することができる。また、両板材４、４の内面には、芯体３の芯材７、７がそれぞれ固定されているので、両板材４、４の剛性をいずれも高めることができ、それにより、防音パネル１の強度を全体として高めることができる。
【００２４】
さらに、芯体３は、防音パネル１の両分割部４Ａ、４Ｂを、倍数比以外の約１：１．６に分割するように配置されているので、防音パネル１における低音域での共鳴が生じにくくなる。この理由を、図３を参照しながら説明する。図３は、防音パネル１を芯体３によって分割したときの共鳴周波数の分布の一例を示しており、（ａ）は、防音パネル１を倍数比（例えば１：１）に分割した例であり、一方、（ｂ）は、防音パネル１を芯体３によって非対称に分割した例である。防音パネル１が倍数比に分割された場合には、同図（ａ）に示すように、防音パネル１の共鳴周波数が、複数の比較的狭い範囲の周波数帯域に偏在するため、防音パネル１の付近で発生した音の周波数が、防音パネル１の共鳴周波数に一致しやすくなり、特に、低音域において大きな共鳴が生じやすくなる。これに対し、防音パネル１が非対称に分割された場合には、同図（ｂ）に示すように、防音パネル１の共鳴周波数が広範囲の周波数帯域に分散し、それにより、防音パネル１の付近で発生した音の周波数が、防音パネル１の共鳴周波数に一致しにくくなる。したがって、上記のように、芯体３によって、両分割部４Ａ、４Ｂが倍数比以外の約１：１．６に分割された防音パネル１では、低音域での共鳴が生じにくくなる。
【００２５】
以上のように、この防音パネル１によれば、芯体３を、防音パネル１の両分割部４Ａ、４Ｂが非対称になるように配置するだけで、パネル自体の強度を確保できるとともに、遮音性能を向上させることができ、特に、低音域での遮音性能を向上させることができる。しかも、従来の防音パネルと異なり、両板材４、４への補強板などの取り付けが不要となり、その分、防音パネル１を低コストで製造することができる。
【００２６】
図４は、防音パネル１および比較例のそれぞれについて、遮音性能を確認するために実施した試験結果の一例を示している。この試験は、上述した構成の防音パネル１と、芯体３を防音パネルの上下方向の中央部に配置し、防音パネルを上下対称に分割した比較例としての防音パネルについて、ＪＩＳＡ１４１６による「実験室における建築部材の空気音遮断性能の測定方法」、およびＪＩＳＡ１４１９−１による「建築物及び建築部材の遮音性能の評価方法−第１部：空気音遮断性能」に準拠して行ったものである。具体的には、図５に示すように、音源室と受音室の間に防音パネル１および比較例の防音パネルの各試験体を設置した状態で、音源室で音を発生させたときの音圧レベルを、音源室および受音室でそれぞれ測定し、両音圧レベルの差に基づいて音響透過損失Ｒを求める。そして、求めた音響透過損失Ｒの値が、全ての周波数帯域において基準曲線を上回るときに、その基準曲線の呼び方によって、遮音等級を表すものである。なお、各試験体の寸法は、縦横１８２０×９１０ｍｍ、厚さ５８ｍｍである。
【００２７】
図４（ａ）および（ｂ）は、防音パネル１および比較例についての試験結果をそれぞれ示している。同図（ｂ）に示すように、芯体３によって防音パネルが上下対称に分割された比較例では、音源室と受音室との音響透過損失Ｒは、オクターブバンド中心周波数（以下、単に「周波数」という）ｆが上昇するのに伴って、徐々に上昇している。この比較例の遮音等級は、Ｄｒ−２０である。周波数ｆが１５０Ｈｚおよび４ｋＨｚ付近のときに、音響透過損失Ｒが低下しているのは、１５０Ｈｚ付近においては、低音域共鳴透過によるものであり、４ｋＨｚ付近においては、コインシデンス効果によるものである。
【００２８】
これに対し、同図（ａ）に示すように、防音パネル１も、比較例と同様、周波数ｆの上昇に伴って、音響透過損失Ｒが徐々に上昇する傾向を示し、この音響透過損失Ｒは、約３００Ｈｚ以上において、比較例とほぼ合致する一方、１５０〜３００Ｈｚの低音域において、比較例よりも高い値を示している。このように、防音パネル１では、中〜高音域においては、比較例と同様の遮音性能を有する一方、低音域においては、比較例よりも高い遮音性能を有し、Ｄｒ−２５の遮音等級が得られている。すなわち、防音パネル１では、芯体３によって防音パネル１が上下に非対称に分割されていることによって、特に、低周波数域、すなわち低音域における遮音性能が向上することが確認された。
【００２９】
図６（ａ）および（ｂ）は、防音パネルの変形例を示している。これらの防音パネル１０および２０は、上記の防音パネル１に対し、芯体の構造のみが異なり、それ以外は、防音パネル１と同様に構成されている。まず、同図（ａ）の防音パネル１０では、芯体１１が、表面側（同図では下側）の板材４に固定された芯材１２と、これの裏面側（同図では上側）に設けられ、裏面側の板材４に固定された緩衝材１３とで構成されている。一方、同図（ｂ）の防音パネル２０では、芯体２１が、芯材２２と、その表裏面にそれぞれ設けられ、表裏の板材４、４にそれぞれ固定された表裏一対の緩衝材２３、２３とで構成されている。これらの防音パネル１０および２０も、防音パネル１と同様の効果を得ることができる。また、特に、同図（ａ）の防音パネル１０では、表面側の板材４にのみ芯材１２が固定され、これを含む表面側の板材４と裏面側の板材４の質量が異なる。その結果、両板材４、４間での共鳴周波数が異なり、それにより、防音パネル全体としての共鳴を抑制でき、遮音性能を向上させることができる。
【００３０】
また、図７は、防音パネルの別の変形例を示している。この防音パネル３０は、上記の防音パネル１に対し、枠体の構造のみが異なり、それ以外は、防音パネル１と同様に構成されている。同図に示すように、防音パネル３０では、枠体３１の各横枠材３２が、芯体３と同様に構成されている。すなわち、各横枠材３２は、表裏の板材４、４にそれぞれ固定された一対の枠材本体３３、３３と、これらの間に設けられた緩衝材３４とで構成されている。このように、各横枠材３２に緩衝材３４を設けることにより、両横枠材３２、３２による両板材４、４間のサウンドブリッジの発生を抑制でき、それに起因する遮音性能の低下を防止することができる。なお、図示しないが、防音パネル３０の枠体３１の各縦枠材を、緩衝材を有する上記横枠材３２と同様に構成してもよい。この場合には、枠体３１の全体において、両板材４、４間のサウンドブリッジの発生をより一層抑制できることによって、防音パネル３０の遮音性能をより向上させることができる。
【００３１】
また、上述した防音パネル１では、芯体３を左右の縦枠材５、５間に連結したが、図８（ａ）に示すように、芯体３を、上下の横枠材６、６間に連結するように配置してもよく、あるいは、同図（ｂ）に示すように、芯体３を、縦枠材５、５間および横枠材６、６間にそれぞれ連結し、各芯体３によって分割された防音パネル５０の分割部が互いに非対称になるように、両芯体３、３を枠体２の内側に十字状に配置してもよい。このような防音パネル４０、５０のいずれによっても、上記防音パネル１と同様の効果を得ることができ、特に、防音パネル５０では、パネル自体の強度をより高めることができる。また、図９に示すように、枠体２の内側に、その対角線に沿って、芯体３を筋交いとして取り付けてもよい。この防音パネル６０では、芯体３を縦枠材５、５間にのみ連結した防音パネル１や、芯体３を横枠材６、６間にのみ連結した防音パネル４０に比べて、パネル自体の強度を高めることができる。
【００３２】
図１０は、緩衝材８を有する芯体３を、両縦枠材５、５の長さ方向の中央部間、および両横枠材６、６の長さ方向の中央部間にそれぞれ連結し、両芯体３、３を枠体２の内側に十字状に配置した防音パネル７０を示している。図１１は、この防音パネル７０および比較例のそれぞれについて、遮音性能を確認するために実施した試験結果の一例を示している。この試験は、上記防音パネル７０と、この防音パネル７０の両芯体３、３に代えて、緩衝材を有しない芯体、すなわち芯材のみで構成された芯体を備えた比較例としての防音パネルについて、前述した防音パネル１に対する試験と同様に、ＪＩＳＡ１４１６およびＪＩＳＡ１４１９−１に準拠して行ったものである。
【００３３】
図１１（ａ）および（ｂ）は、防音パネル７０および比較例についての試験結果をそれぞれ示している。同図（ｂ）に示すように、緩衝材なしの芯体を備えた比較例では、音響透過損失Ｒは、周波数ｆが上昇するのに伴って、徐々に上昇し、遮音等級は、Ｄｒ−２５である。これに対し、同図（ａ）に示すように、防音パネル７０も、比較例と同様、周波数ｆの上昇に伴って、音響透過損失Ｒが徐々に上昇する傾向を示し、この音響透過損失Ｒは、約２００Ｈｚ付近および５００Ｈｚ付近において比較例よりも若干低い値を示すものの、全体として、比較例よりも高い値が得られている。そして、この防音パネル７０の遮音等級も、比較例と同じＤｒ−２５である。このように、防音パネル７０では、遮音等級が比較例と同じであるものの、両芯体３、３がいずれも緩衝材８を有しているため、表裏の板材４、４間に芯体３、３を介してサウンドブリッジが生じるのを抑制できることによって、防音パネル全体として、遮音性能が向上することが確認された。
【００３４】
なお、本発明は、説明した実施形態や変形例に限定されることなく、種々の態様で実施することができる。例えば、実施形態では、芯体３の表裏の芯材７、７の厚さを同じにしたが、これらの厚さを互いに異なるようにしてもよい。この場合には、両芯材７、７の質量が異なるため、それらがそれぞれ固定された表裏の板材４、４の芯材を含めた質量が異なる。その結果、両板材４、４間での共鳴周波数が異なり、それにより、防音パネル全体としての共鳴を抑制でき、遮音性能を向上させることができる。また、互いに厚さが同じ表裏の芯材７、７を互いに異なる比重の材料で構成してもよい。この場合も、両芯材７、７の質量が異なることによって、上記の場合と同様に、防音パネルの共鳴を抑制でき、遮音性能を向上させることができる。さらに、実施形態や変形例では、表裏の板材４、４、枠体２および芯体３で囲まれた空間を空にしているが、防音パネルに要求される遮音性能に応じて、その空間に、グラスウールやロックウールなどの吸音材を収容してもよい。その場合には、防音パネルの遮音性能をより向上させることができる。また、説明した防音パネルの各構成要素の材質は、あくまで例示であり、他の適当な材質を採用してもよい。その他、本発明の趣旨の範囲内で、細部の構成を適宜、変更することができる。
【図面の簡単な説明】
【００３５】
【図１】本発明の一実施形態による防音パネルを示す斜視図である。
【図２】図１の防音パネルをII−II線で切断した断面図である。
【図３】防音パネルを芯体で分割したときの共鳴周波数の分布の一例を示す図であり、（ａ）防音パネルが倍数比で分割された場合、（ｂ）防音パネルが非対称に分割された場合を示す。
【図４】（ａ）防音パネル、（ｂ）比較例についての遮音性能の試験結果を示す図である。
【図５】防音パネルの遮音性能の試験方法を示す模式図である。
【図６】防音パネルの変形例を示す断面図である。
【図７】防音パネルの別の変形例を示す断面図である。
【図８】（ａ）芯体の配置位置の変形例、（ｂ）芯体の数の変形例を示す防音パネルの正面図である。
【図９】芯体の配置位置の他の変形例を示す防音パネルの正面図である。
【図１０】芯体を十字状に配置した防音パネルを示す正面図である。
【図１１】（ａ）図１０の防音パネル、（ｂ）比較例についての遮音性能の試験結果を示す図である。
【符号の説明】
【００３６】
１、１０、２０、３０、４０、５０、６０、７０  防音パネル
２、３１  枠体
３、１１、２１  芯体
４  板材
４Ａ  分割部
４Ｂ  分割部
５  縦枠材（第１枠材）
６、３２  横枠材（第２枠材）
７、１２、２２  芯材
８、１３、２３、３４  緩衝材
３３    枠材本体
【図１】
2007017759.tif 000004
【図２】
2007017759.tif 000005
【図３】
2007017759.tif 000006
【図４】
2007017759.tif 000007
【図５】
2007017759.tif 000008
【図６】
2007017759.tif 000009
【図７】
2007017759.tif 000010
【図８】
2007017759.tif 000011
【図９】
2007017759.tif 000012
【図１０】
2007017759.tif 000013
【図１１】
2007017759.tif 000014